(57)【要約】【課題】  ＯＣＴと眼底カメラとの複合装置において、良好な蛍光眼底画像を取得できる。【解決手段】  蛍光励起光によって励起された眼底からの蛍光を透過させ、蛍光以外の波長の光をカットするためのバリアフィルタと、撮影光源による眼底からの反射光及び蛍光を第１の撮像素子に導くための第１の撮影光路と、観察光源による眼底からの光を第２の撮像素子に導くための第２の撮影光路と、を分岐させるための波長分離部材とを備え、バリアフィルタは、λ＝７００ｎｍよりも短い第１の光と、λ＝７００ｎｍよりも長く、眼底観察光よりも波長が短い第２の光と、を含む被検眼眼底かからの蛍光を透過するバリアフィルタと、波長分離部材は、撮影光源による眼底反射光、及び第１の光と第２の光を含む蛍光を第１の撮像素子に導き、観察光源による眼底観察光を第２の撮像素子に導くように波長選択特性が設定されている。【選択図】      図２
2015195875.tif 000002
【特許請求の範囲】
【請求項１】
撮影光源と、観察光源と、を備え、前記撮影光源、前記観察光源の少なくともいずれの照明光により被検眼眼底を照明するための眼底照明光学系と、
眼底を撮影するための第１の撮像素子と、眼底を観察するための第２の撮像素子と、を備え、前記照明光により照明された被検眼眼底の正面画像を撮影するための眼底撮影光学系と、
被検眼眼底の断層画像を光干渉の技術を用いて得るためのＯＣＴ光学系と、
前記眼底撮影光学系の光路に挿脱可能に配置され、前記蛍光励起光によって励起された眼底からの蛍光を透過させ、前記蛍光以外の波長の光をカットするためのバリアフィルタと、
前記眼底撮影光学系の光路に配置され、前記撮影光源による被検眼眼底からの反射光及び蛍光を前記第１の撮像素子に導くための第１の撮影光路と、前記観察光源による被検眼眼底からの光を前記第２の撮像素子に導くための第２の撮影光路と、を分岐させるための波長分離部材と、
を備え、
前記バリアフィルタは、λ＝７００ｎｍよりも短い第１の光と、λ＝７００ｎｍよりも長く、前記観察光源による眼底観察光よりも波長が短い第２の光と、を含む被検眼眼底かからの蛍光を透過するバリアフィルタと、
前記波長分離部材は、前記撮影光源による眼底反射光、及び前記第１の光と前記第２の光を含む蛍光を前記第１の撮像素子に導き、前記観察光源による眼底観察光を前記第２の撮像素子に導くように波長選択特性が設定されていることを特徴とする眼底撮影装置。
【請求項２】
前記ＯＣＴ光学系の測定光源としてλ＝８００ｎｍ〜９００ｎｍの間に中心波長を持つ光を出射する光源が用いられ、
前記撮影光源として、前記第１の光と前記第２の光とを含む光を出射する撮影光源が用いられ、前記観察光源として、λ＝７５０ｎｍ〜８００ｎｍの間に中心波長を持つ光を出射する観察光源が用いられることを特徴とする請求項１の眼底撮影装置。
【請求項３】
前記バリアフィルタは、自発蛍光による眼底蛍光画像を撮影するために波長選択特性が設定されていることを特徴とする請求項１〜２のいずれかの眼底撮影装置。
【請求項４】
前記眼底撮影光学系の光路に挿脱可能に配置され、カラー撮影に必要な可視帯域の光を透過し、カラー撮影に不要な赤外帯域の光をカットする第２のバリアフィルタであって、前記蛍光を透過する前記バリアフィルタよりも透過する波長帯域の上限が短い第２のバリアフィルタを備えることを特徴とする請求項１〜３のいずれかの眼底撮影装置。
【請求項５】
前記波長分離部材は、
λ＝７００ｎｍの光の少なくとも９０％以上を前記第１の撮像素子に導くと共に、λ＝７５０ｎｍの光の少なくとも７０％以上を遮断するように波長選択特性が設定されていることを特徴とする請求項１〜４のいずれかの眼底撮影装置。
【請求項６】
前記波長分離部材は、
λ＝７２０ｎｍの光の少なくとも９０％以上を前記第１の撮像素子に導くと共に、λ＝７５０ｎｍの光の少なくとも７０％以上を遮断するように波長選択特性が設定されていることを特徴とする請求項５の眼底撮影装置。
【発明の詳細な説明】
【技術分野】
【０００１】
被検眼の眼底を撮影するための眼底撮影装置に関する。
【背景技術】
【０００２】
従来、被検眼の断層画像を非侵襲で撮影することができる眼科装置として、低コヒーレ
ント光等を用いた眼科用光干渉断層計（Optical Coherence Tomography: OCT）が、知られている。
【０００３】
また、上記ＯＣＴと眼底カメラとの複合装置が提案されている（特許文献１、２参照）。ところで、特許文献２の装置では、ＯＣＴユニットからの信号光として、８００ｎｍ〜９００ｎｍの範囲に含まれる波長を有する光が用いられ、観察光源として、４００ｎｍ〜７００ｎｍの範囲に含まれる波長を有する光が用いられ、撮影光源として、７００ｎｍ〜８００ｎｍの範囲に含まれる波長を有する光が用いられている。
【０００４】
そこで、特許文献２の撮影光学系の光路には、ダイクロイックミラーが設けられており、このダイクロイックミラーは、照明光学系からの可視領域の波長を有する照明光（観察光源から出力される波長約４００ｎｍ〜７００ｎｍの可視光）を透過させるとともに、近赤外領域の波長を有する照明光（撮影光源から出力される波長約７００ｎｍ〜８００ｎｍの近赤外光）を反射するようになっている。
【先行技術文献】
【特許文献】
【０００５】
【特許文献１】特開２０１３−０５６２７４号公報
【特許文献２】特開２００７−１８１６３１号公報
【発明の概要】
【発明が解決しようとする課題】
【０００６】
しかしながら、ダイクロイックミラーの場合、λ＝７００ｎｍよりも波長が短い光と、λ＝７００ｎｍよりも波長が長い光との両方による眼底画像を、観察或いは撮影することが困難である。その結果、被検眼眼底の蛍光画像を撮影するような場合において、取得される情報として十分とはいえない場合があった。
【０００７】
本発明は、上記従来技術の問題点を鑑み、ＯＣＴと眼底カメラとの複合装置において、良好な蛍光眼底画像を取得できる眼底撮影装置を提供することを技術課題とする。
【課題を解決するための手段】
【０００８】
上記課題を解決するために、本発明は以下のような構成を備えることを特徴とする。
【０００９】
撮影光源と、観察光源と、を備え、前記撮影光源、前記観察光源の少なくともいずれの照明光により被検眼眼底を照明するための眼底照明光学系と、
眼底を撮影するための第１の撮像素子と、眼底を観察するための第２の撮像素子と、を備え、前記照明光により照明された被検眼眼底の正面画像を撮影するための眼底撮影光学系と、
被検眼眼底の断層画像を光干渉の技術を用いて得るためのＯＣＴ光学系と、
前記眼底照明光学系の光路に挿脱可能に配置され、前記撮影光源からの光から蛍光励起光を透過させ、前記蛍光励起光以外の波長の光をカットするためのエキサイタフィルタと、
前記眼底撮影光学系の光路に挿脱可能に配置され、前記蛍光励起光によって励起された眼底からの蛍光を透過させ、前記蛍光以外の波長の光をカットするためのバリアフィルタと、
前記眼底撮影光学系の光路に配置され、前記撮影光源による被検眼眼底からの反射光及び蛍光を前記第１の撮像素子に導くための第１の撮影光路と、前記観察光源による被検眼眼底からの光を前記第２の撮像素子に導くための第２の撮影光路と、を分岐させるための波長分離部材と、
を備え、
前記バリアフィルタは、λ＝７００ｎｍよりも短い第１の光と、λ＝７００ｎｍよりも長く、前記観察光源による眼底観察光よりも波長が短い第２の光と、を含む被検眼眼底かからの蛍光を透過するバリアフィルタと、
前記波長分離部材は、前記撮影光源による眼底反射光、及び前記第１の光と前記第２の光を含む蛍光を前記第１の撮像素子に導き、前記観察光源による眼底観察光を前記第２の撮像素子に導くように波長選択特性が設定されていることを特徴とする。
【図面の簡単な説明】
【００１０】
【図１】本実施例に係る眼底撮影装置の外観を示す概略図である。
【図２】本実施例に係る眼底撮影装置の光学系及び制御系を示す図である。
【図３】本実施例に係る表示部に表示される画面の一例を示す図である。
【図４】撮像素子に撮像された前眼部像が表示部に表示されたときの例である。
【図５】撮像素子に撮像された眼底画像が表示部に表示されたときの例である。
【図６】本実施例に係る制御系を示すブロック図である。
【図７】被検眼に対するアライメント検出について説明する図である。
【図８】本実施形態に係る眼底撮影装置の光学系の波長特性の一例を示す図である。
【発明を実施するための形態】
【００１１】
本発明の典型的な実施形態を図面に基づいて説明する。なお、本実施形態においては、被検眼の奥行き方向をＺ方向（光軸Ｌ１方向）、奥行き方向に垂直（被検者の顔面と同一平面）な平面上の水平方向成分をＸ方向、鉛直方向成分をＹ方向として説明する。
【００１２】
＜概要＞
＜光学系＞
本装置１は、対物レンズ２５と、孔あきミラー（ホールミラー）２２と、眼底照明光学系（以下、照明光学系）１０と、眼底撮影光学系（以下、撮影光学系）３０と、干渉光学系（ＯＣＴ光学系）２００と、を主に備える（図２参照）。
【００１３】
対物レンズ２５は、例えば、被検眼の眼前に配置されてもよい。孔あきミラー２２は、例えば、開口部２２ａと、ミラー部２２ｂと、を備えてもよい。開口部２２ａは、ミラー部２２ｂの中心に形成されてもよいし、偏心した位置に配置されてもよい。開口部２２ａは、実際の開口が形成された構成であってもよいし、光透過性を有するガラス板であってもよいし、眼底照明光学系１０の照明光による眼底からの光を透過する波長選択特性を有する構成であってもよい。
【００１４】
照明光学系１０は、例えば、孔あきミラーのミラー部２２ｂ及び対物レンズ２５を介して被検眼眼底Ｅｆを照明光により照明するために設けられてもよい。照明光は、可視光、赤外光の少なくともいずれかであってもよい。照明光学系１０は、眼底Ｅｆを可視光により照明するための可視照明光学系と、眼底Ｅｆを赤外光により照明するための赤外照明光学系と、を備えてもよい。照明光学系１０は、撮影光源１４と、観察光源１１と、を備え、撮影光源１４、観察光源１１の少なくともいずれの照明光により眼底Ｅｆを照明するために設けられてもよい。撮影光源１４としては、例えば、可視光を発するフラッシュランプ、ＬＥＤが用いられてもよい、観察光源１１としては、例えば、赤外光を発するハロゲンランプ。赤外ＬＥＤが用いられてもよい。
【００１５】
撮影光学系３０は、孔あきミラー２２の開口部２２ａを介して、照明光学系１０の照明光により照明された眼底Ｅｆの正面画像を撮影するために設けられてもよい。撮影光学系３０は、可視光により照明された被検眼眼底の正面画像を撮影するための可視撮影光学系と、赤外光により照明された被検眼眼底の正面画像を撮影するための赤外撮影光学系と、を備えてもよい。撮影光学系３０は、眼底と共役な位置に配置され、眼底からの反射光を受光する二次元撮像素子３５（撮影用撮像素子）を備えてもよい。撮影光学系３０は、フォーカシングレンズ３２と、二次元撮像素子３５と、を備えてもよい。フォーカシングレンズ３２は、被検眼に対するフォーカスを調整するために光軸方向に移動される。撮影光学系３０は、眼底と共役な位置に配置され、眼底からの反射光を受光する二次元撮像素子３８（観察用撮像素子）を備えてもよい。なお、撮影用の撮像素子と観察用の撮像素子とが同一の撮像素子によって形成される構成であってもよい。
【００１６】
撮影光学系３０は、眼底を静止画として撮影するための第１の撮像素子（例えば、二次元撮像素子３５）と、眼底を動画にて観察するための第２の撮像素子（例えば、二次元撮像素子３８）と、をそれぞれ備えてもよい。ここで、第２の撮像素子には、第１の撮像素子とは異なる撮像素子が用いられる。
【００１７】
干渉光学系（ＯＣＴ光学系）２００は、対物レンズ２５を介して被検眼眼底の断層画像を光干渉の技術を用いて得るために設けられてもよい。
【００１８】
より詳細には、干渉光学系２００は、光源１０２と、検出器１２０と、走査部１０８と、を主に備える。検出器１２０は、被検眼Ｅに照射された測定光と参照光との干渉状態を検出する。測定光は、光源１０２から出射され、測定光路を通って眼底Ｅｆに導かれる。参照光は、光源１０２から出射され、参照光路を通って検出器１２０に導かれる。
【００１９】
走査部１０８は、測定光路に配置され、測定光を被検眼Ｅ上で走査する。走査部１０８は、測定光を被検眼Ｅ上で繰り返し走査してもよい。
【００２０】
本装置１は、走査部１０８の各走査位置での検出器１２０からの検出信号に基づいて被検眼Ｅの断層画像を得ることができる。
【００２１】
＜前眼部観察光学系＞
本装置１において、前眼部正面像を観察するための前眼部観察光学系６０が設けられてもよい。前眼部観察光学系６０は、対物レンズ２５を介して、前眼部照明光源５８によって照明された被検眼の前眼部観察像を観察するために設けられてもよい。前眼部観察光学系６０は、例えば、前眼部からの反射光を集光するためのリレーレンズ６４と、前眼部と共役な位置に配置され、前眼部からの反射光を受光する二次元撮像素子６５と、を備えてもよい。前眼部照明光源５８としては、例えば、赤外光源が用いられてもよい。
【００２２】
＜波長分離部材を用いた眼底カメラ光学系への前眼部観察光学系とＯＣＴ光学系の結合＞
第１の波長分離部材（例えば、ダイクロイックミラー２４）は、照明光学系１０及び撮影光学系３０が共用する第１光軸Ｌ１と、干渉光学系２００及び前眼部観察光学系６０が共用する第２光軸Ｌ２と、を同軸にするために設けられる。第１の波長分離部材は、対物レンズ２５と孔あきミラー２２との間に配置されてもよい。
【００２３】
第２の波長分離部材（例えば、ダイクロイックミラー６１）は、ＯＣＴ光学系の光軸Ｌ３と前眼部観察光学系６０の光軸Ｌ４とを同軸にして第２光軸Ｌ２を形成させるために設けられる。
【００２４】
なお、前述の波長分離部材は、平板状のダイクロイックミラーであってもよいし、ダイクロイックプリズムであってもよい。
【００２５】
上記のような構成によれば、例えば、眼底の正面像（例えば、カラー眼底画像）を撮像する際、並びに眼底の断層像を撮像する際、それぞれ前眼部正面像を用いてアライメントを行うことができる。したがって、眼底カメラとＯＣＴの複合装置において、被検眼に対するアライメントをスムーズに行うことができる。
【００２６】
別の側面では、眼底カメラとＯＣＴとの複合装置において、お互いの機能を損なうことなく、前眼部観察光学系が設けられる。したがって、眼底カメラとＯＣＴの双方において好適な撮影が可能となると共に、被検眼に対するアライメントをスムーズに行うことができる。
【００２７】
また、ダイクロイックミラー２４による軸ずれに気付きやすい。例えば、撮影光学系３０を用いた眼に対する位置合わせが完了した場合（例えば、ワーキングドットＷが使用されうる）において、前眼部観察像上のアライメント指標が基準位置に対してずれているとき、干渉光学系２００も軸ずれしていることが認識される。したがって、メンテナンスをスムーズに行うことができる。
【００２８】
以下に、波長分離部材の波長選択特性の第一例を示す。例えば、干渉光学系２００の光源１０２（測定光源）として、λ＝８００ｎｍ〜９００ｎｍの間に中心波長（例えば、λ＝８４０ｎｍ、λ＝８７０ｎｍ、λ＝８８０ｎｍ等）を持つ光を出射する光源が用いられてもよい。なお、中心波長に対するハンド幅としては、例えば、中心波長に対して±３０〜６０ｎｍの波長帯域を持つ光源が用いられてもよい。もちろん、さらに広帯域の光源が用いられてもよい。下記実施例では、光源１０２として、λ＝８４０ｎｍ〜９２０ｎｍが出射波長である光源が用いられる。
【００２９】
さらに、前眼部照明光源５８としては、λ＝９００ｎｍ〜１０００ｎｍの間に中心波長を持つ光（より好ましくは、λ＝９４０ｎｍ〜１０００ｎｍ）を出射する光源が用いられてもよい。この場合、前眼部照明光源５８は、光源１０２の出射波長よりも長い波長帯域に中心波長が設定されてもよい。
【００３０】
照明光学系１０に用いられる照明光源として、λ＝７５０ｎｍ〜８００ｎｍの間に中心波長（より好ましくは、λ＝７７０ｎｍ〜７９０ｎｍ）を持つ光を出射する観察光源１１と、λ＝７５０ｎｍよりも短い可視域の光を出射する撮影光源１４と、が用いられてもよい。観察光源１１は、光源１０２の出射波長よりも短い波長帯域に中心波長が設定されてもよい。下記実施例では、観察光源１１として、λ＝７５０ｎｍ〜８００ｎｍが出射波長である光源が用いられる。撮影光源１４は、λ＝４００ｎｍから７００ｎｍまでの波長領域を含む光（下記実施例では、λ＝４００ｎｍから７５０ｎｍ）を出射する光源であってもよい。各光源から出射された光は、所定の波長をカットするカットフィルタを介して波長帯域が制限されてもよい。
【００３１】
第１の波長分離部材（例えば、ダイクロイックミラー２４）は、例えば、λ＝７６０〜８４０ｎｍの間にカットオン波長が設定され、観察光源１１による眼底観察光を少なくとも透過させ、干渉光学系１００の光源１０２による測定光と、前眼部照明光源５８による光とを反射する波長選択特性を有する。この場合、第１の波長分離部材は、観察光源１１による眼底観察光の大部分を透過させ、光源１０２による測定光の大部分と、前眼部照明光源５８による光の大部分を反射する構成を含むことはいうまでもない。なお、光の大部分としては、光全体の９０％以上が考えられる。
【００３２】
第２の波長分離部材（例えば、ダイクロイックミラー６１）は、例えば、λ＝９００〜１０００ｎｍ（好ましくは、λ＝９３０ｎｍ〜９７０）の間にカットオン波長（あるいはカットオフ波長）が設定され、干渉光学系２００の光源１０２による測定光と、前眼部照明光源５８による前眼部観察光と、を分割させる波長選択特性を有する。第２の波長分離部材は、測定光を透過し、前眼部観察光を反射してもよいし、測定光を反射し、前眼部観察光を透過してもよい。この場合、干渉光学系２００の光源１０２による測定光の大部分と、前眼部照明光源５８による前眼部観察光の大部分と、を分割させる構成を含むことはいうまでもない。
【００３３】
上記のような構成によれば、干渉光学系２００の光源１０２（測定光源）として、λ＝７５０ｎｍ〜９００ｎｍ（より好ましくは、λ＝８００ｎｍ〜９００ｎｍ）の間の波長帯域を用いた場合であっても、眼底撮影及び眼底観察に加えて、前眼部観察を良好に行うことができる。
【００３４】
なお、第１の波長分離部材は、さらに、撮影光源１４による眼底撮影光を透過する波長特性を備えてもよい。その代わりとして、第１の波長分離部材は、撮影光源１４による眼底撮影時において、撮影光学系３０の光路から離脱されてもよい。
【００３５】
上記光学系において、さらに、前眼部と共役な位置（例えば、孔あきミラー２２の開口部２２ａ）に配置される指標光源５５（アライメント光源）が設けられてもよい。指標光源５５は、装置筐体の光学系内部に配置されてもよい。指標光源５５は、被検眼の前眼部で反射された後、二次元撮像素子３５（観察用撮像素子）に受光される。二次元撮像素子３５に受光されたアライメント指標（いわゆるワーキングドットＷ）は、検者によって観察され、被検眼に対するアライメントの微調整に用いられる。
【００３６】
指標光源５５としては、例えば、観察光源１１よりも中心波長が長く、干渉光学系２００の光源１０２よりも中心波長が短い光を出射する光源が用いられる。より好ましくは、λ＝７８０ｎｍ〜８１５ｎｍの間に中心波長を持つ光を出射する光源が用いられる。
【００３７】
そこで、第１の波長分離部材は、指標光源５５による光を透過する波長特性を備えてもよい。第１の波長分離部材に関して、より好ましくは、λ＝７８０ｎｍ〜８１５ｎｍの間にカットオン波長が設定される。
【００３８】
また、上記光学系において、さらに、フォーカス指標（例えば、スプリット指標）を眼底に投影するためのフォーカス指標投影光学系（以下、投影光学系）４０が設けられてもよい。フォーカス指標は、被検眼に対するフォーカスを手動又は自動で調整するために用いられる。投影光学系４０としては、例えば、観察光源１１と同程度の中心波長を持つ光を出射する光源が用いられる（例えば、λ＝７６５ｎｍ〜７８５ｎｍの間に中心波長が設定される）。そこで、第１の波長分離部材は、フォーカス指標による光を透過する波長特性を備えてもよい。
【００３９】
上記光学系において、さらに、アライメント指標投影光学系（以下、投影光学系）５０が設けられてもよい。投影光学系５０は、対物レンズ２５の外側から被検眼前眼部に向けてアライメント指標を投影する。アライメント指標は、前眼部観察光学系６０によって撮像され、前眼部像を用いた自動アライメント又は手動アライメントに用いられる。投影光学系５０としては、例えば、前眼部照明光源７５と同程度の中心波長を持つ光を出射する光源が用いられる（例えば、λ＝９００ｎｍ〜１０００ｎｍの間に中心波長が設定される）。そこで、第１の波長分離部材は、アライメント指標を透過する波長特性を備えてもよい。
【００４０】
なお、前述の指標光源５５、投影光学系４０、投影光学系５０に関して、少なくともいずれかが装置の光学系に配置された構成であってもよい。これらの全てが装置の光学系に配置された構成であってもよい。
【００４１】
以下に、波長分離部材の波長選択特性の第二例を示す。例えば、干渉光学系２００の光源１０２（測定光源）として、λ＝１０００ｎｍ〜１３５０ｎｍの間に中心波長（より好ましくは、λ＝１０５０〜１３００ｎｍ）を持つ光を出射する光源が用いられてもよい。光源１０２は、波長掃引光源であって、干渉光学系２００としてＳＳ−ＯＣＴ光学系が用いられてもよい。なお、中心波長に対するハンド幅としては、例えば、中心波長に対して±３０〜６０ｎｍの波長帯域を持つ光源が用いられてもよい。もちろん、さらに広帯域の光源が用いられてもよい。
【００４２】
さらに、前眼部照明光源５８としては、λ＝９００ｎｍ〜１０００ｎｍの間に中心波長を持つ光（より好ましくは、λ＝９４０ｎｍ〜１０００ｎｍ）を出射する光源が用いられてもよい。この場合、前眼部照明光源５８は、光源１０２の出射波長よりも短い波長帯域に中心波長が設定されてもよい。
【００４３】
照明光源として、λ＝７５０ｎｍ〜９００ｎｍ（より好ましくは、λ＝８００ｎｍ〜９００ｎｍ）の間に中心波長を持つ光を出射する観察光源１１と、λ＝７５０ｎｍよりも短い可視域の光を出射する撮影光源１４と、が用いられてもよい。より詳細には、撮影光源１４は、λ＝４００ｎｍから７００ｎｍまでの可視領域を含む光（下記実施例では、λ＝４００ｎｍから７５０ｎｍ）を出射する光源であってもよい。各光源から出射された光は、所定の波長をカットするカットフィルタを介して波長帯域が制限されてもよい。
【００４４】
ダイクロイックミラー（第１）２４は、例えば、λ＝７６０〜９００ｎｍの間にカットオン波長が設定され、観察光源１１による眼底観察光を少なくとも透過させ、干渉光学系１００の光源１０２による測定光と、前眼部照明光源５８による光を反射する波長選択特性を有する。
【００４５】
ダイクロイックミラー（第２）６１は、例えば、λ＝９５０ｎｍ〜１０５０ｎｍの間にカットオン波長（あるいはカットオフ波長）が設定され、干渉光学系１００の光源１０２による測定光と、前眼部照明光源５８による前眼部観察光と、を分割させる波長選択特性を有する。ダイクロイックミラー６１は、測定光を透過し、前眼部観察光を反射してもよいし、測定光を反射し、前眼部観察光を透過してもよい。
【００４６】
上記構成によれば、眼底観察光としてλ＝８００ｎｍ〜９００ｎｍの波長帯域を用いることができるので、被検眼への負担を軽減できる。
【００４７】
＜カットフィルタ＞
前眼部観察光学系６０は、ダイクロイックミラー６１より下流側の光路に、干渉光学系２００の測定光に対応する波長帯域の光をカットするカットフィルタが設けられてもよい。カットフィルタによって、干渉光学系２００の測定光をカットできるので、前眼部観察を好適に行うことができる。
【００４８】
カットフィルタは、例えば、ダイクロイックミラー６１と二次元撮像素子６５との間に配置される。なお、カットフィルタは、例えば、第２のダイクロイックミラーと二次元撮像素子との間に配置されたリレーレンズ６４にコーティングされてもよい。また、リレーレンズ６４とは別に配置されてもよい。
【００４９】
なお、撮影光学系３０においても、干渉光学系２００の測定光に対応する波長帯域の光をカットするカットフィルタが設けられてもよい。
【００５０】
＜蛍光撮影機能＞
本装置において、被検眼眼底からの蛍光による蛍光眼底画像を取得する構成が設けられてもよい。エキサイタフィルタＥＸは、照明光学系１０の光路に挿脱可能に配置され、撮影光源１４からの光から蛍光励起光を透過させ、蛍光励起光以外の波長の光をカットする波長選択特性を持つ。エキサイタフィルタＥＸは、例えば、撮影光源１４から孔あきミラー２２の間に設けられ、挿脱機構Ａの駆動によって挿入・退避される。
【００５１】
バリアフィルタＢＡは、撮影光学系３０の光路に挿脱可能に配置され、蛍光励起光によって励起された眼底からの蛍光を透過させ、蛍光以外の他の波長の光をカットする波長選択特性を持つ。バリアフィルタＢＡは、例えば、孔あきミラー２２から撮像素子３５の間に設けられ、挿脱機構Ｂによって挿入・退避される。より好ましくは、眼底観察への影響を回避するために、ダイクロイックミラー３７と二次元撮像素子３５との間に設けられてもよい。
【００５２】
エキサイタフィルタＥＸ及びバリアフィルタＢＡは、被検眼からの自発蛍光による眼底蛍光画像を撮影するための波長選択特性が設定されていてもよい。つまり、エキサイタフィルタＥＸ及びバリアフィルタＢＡは、被検者に蛍光剤を静注しない条件において使用されてもよく、特定の波長を用いて眼底を励起することによって自発的に発せられる蛍光成分を光学的に抽出するためのフィルタであってもよい。
【００５３】
自発蛍光撮影を行うためのフィルタとしては、例えば、緑色光を励起光として用い、眼底からの赤色光の蛍光を得るためのフィルタが用いられる。そこで、エキサイタフィルタＥＸは、緑色光（例えば、λ＝５００〜６００ｎｍの帯域の光）を透過し、他の光を遮断する波長選択特性であってもよく、バリアフィルタＢＡは、赤色光（例えば、λ＝６２５〜７６０ｎｍの帯域の光）を透過し、他の光を遮断する波長選択特性であってもよい。なお、エキサイタフィルタＥＸは、緑色光（例えば、λ＝５００〜６００ｎｍの帯域の光）と、λ＝８００ｎｍ以上の帯域の光とを透過し、他の光を遮断する波長選択特性であってもよい。これは、撮影光源１４の出射波長には、結果的に、λ＝８００ｎｍ以上の帯域の光が含まれておらず、励起光以外の光は、被検眼に照射されないからである。
【００５４】
また、エキサイタフィルタＥＸとして、緑色光を透過するフィルタに限定されない。例えば、エキサイタフィルタＥＸは、青色光を透過し、他の光を遮断する波長選択特性であってもよい。また、エキサイタフィルタを設ける代わりに、励起光を発する撮影光源を設けるようにしてもよい。
【００５５】
さらに、バリアフィルタＢＡは、赤色光（例えば、λ＝６２５〜７６０ｎｍの帯域の光）を透過し、他の光を遮断する波長選択特性であってもよい。なお、自発蛍光撮影を行うためのフィルタとしては、上記フィルタに限定されない。例えば、バリアフィルタＢＡは、赤色成分よりも短波長の光（例えば、黄色光）も含めて透過し、他の光を遮断するようにしてもよい。例えば、バリアフィルタＢＡは、赤色成分よりも長波長の光（例えば、近赤外光）も含めて透過し、他の光を遮断するようにしてもよい。
【００５６】
バリアフィルタＢＡは、λ＝７００ｎｍよりも短い波長帯域（例えば、λ＝６２５〜７００ｎｍ）である第１の光（第１の蛍光）と、λ＝７００ｎｍよりも長く、かつ、観察光源１１による眼底観察光よりも波長が短い波長帯域（例えば、λ＝７００〜７５０ｎｍ）である第２の光（第２の蛍光）と、を含む眼底Ｅｆからの蛍光を透過する波長選択特性であってもよい。
【００５７】
＜カラー撮影用のバリアフィルタ＞
なお、蛍光撮影用のバリアフィルタ（第１のバリアフィルタ）ＢＡとは別に、被検眼眼底をカラー撮影する際に光路に挿入される第２のバリアフィルタＢＡが設けられてもよい。第２のバリアフィルタＢＡは、撮影光学系３０の光路に挿脱可能に配置され、撮影光源１４による眼底反射光において、カラー撮影に必要な可視帯域の光（例えば、赤青緑を含む可視帯域の光）を透過し、カラー撮影に不要な光（例えば、赤外帯域の光）をカットする波長選択特性を持つ。第２のバリアフィルタＢＡは、蛍光撮影用のバリアフィルタＢＡよりも透過する波長帯域の上限が短く設定される。例えば、第１のバリアフィルタの透過波長の上限が、λ＝７５０ｎｍに設定され、第２バリアフィルタの透過波長の上限が、λ＝７００ｎｍに設定さる。
【００５８】
上記構成によれば、蛍光撮影時において第１のバリアフィルタが選択的に光路に挿入され、カラー撮影時において第２のバリアフィルタが選択的に光路に挿入される。その結果、蛍光眼底画像と、カラー眼底画像とがそれぞれ良好に撮影される。
【００５９】
＜蛍光撮影を考慮した波長分離部材＞
撮影光学系３０には、撮影光学系３０の光路に配置され、撮影光学系３０の光路を、第１の撮影光路と第２の撮影光路に分岐させるための波長分離部材（例えば、ダイクロイックミラー３７）が設けられてもよい。
【００６０】
第１の撮影光路は、撮影光源１１による眼底からの反射光及び蛍光を第１の撮像素子（例えば、二次元撮像素子３５）に導くための光路であって、第２の撮影光路は、観察光源１１による眼底からの反射光を第２の撮像素子（例えば、二次元撮像素子３８）に導くための光路であってもよい。
【００６１】
第１の撮影光路と第２の撮影光路に分岐させるための波長分離部材（例えば、ダイクロイックミラー３７）は、撮影光源１４による眼底反射光、及び前述の第１の光と第２の光を含む蛍光を第１の撮像素子（例えば、二次元撮像素子３５）に導き、観察光源１１による眼底観察光を第２の撮像素子（例えば、二次元撮像素子３８）に導くように波長選択特性が設定されていてもよい。
【００６２】
より詳細には、第１の撮影光路と第２の撮影光路に分岐させるための波長分離部材（例えば、ダイクロイックミラー３７）は、撮影光源１４による眼底反射光、及び前述の第１の光と第２の光を含む蛍光を透過し、観察光源１１による眼底観察光を反射する波長選択特性を備えてもよい。この場合、第１の撮影光路と第２の撮影光路に分岐させるための波長分離部材（例えば、ダイクロイックミラー３７）は、撮影光源１４による眼底反射光の大部分、及び前述の第１の光と第２の光を含む蛍光の大部分を透過し、観察光源１１による眼底観察光の大部分を反射する構成を含むことはいうまでもない。なお、光の大部分としては、光全体の９０％以上が考えられる。
【００６３】
第１の撮影光路と第２の撮影光路に分岐させるための波長分離部材（例えば、ダイクロイックミラー３７）は、撮影光源１４による眼底反射光、及び第１の光と第２の光を含む蛍光を反射し、観察光源１１による眼底観察光を透過する波長選択特性を備えてもよい。
【００６４】
第１の撮影光路と第２の撮影光路に分岐させるための波長分離部材（例えば、ダイクロイックミラー３７）は、撮影光源１４による眼底反射光の大部分、及び前述の第１の光と第２の光を含む蛍光の大部分を反射し、観察光源１１による眼底観察光の大部分を透過する構成を含むことはいうまでもない。なお、光の大部分としては、光全体の９０％以上が考えられる。
【００６５】
この場合、干渉光学系２００の光源１０２としてλ＝８００ｎｍ〜９００ｎｍの間に中心波長を持つ光を出射する光源が用いられ、撮影光源１４として、前述の第１の光と第２の光とを含む可視域の光を出射する撮影光源が用いられ、観察光源１１として、λ＝７５０ｎｍ〜８００ｎｍの間に中心波長を持つ光を出射する観察光源が用いられる。
【００６６】
第１の撮影光路と第２の撮影光路に分岐させるための波長分離部材（例えば、ダイクロイックミラー３７）は、λ＝７２５〜７７５ｎｍの間にカットオン波長（あるいはカットオフ波長）が設定され、撮影光源１４による眼底反射光、及び前述の第１の光と第２の光を含む蛍光を第１の撮像素子に導き、観察光源１１による眼底観察光を第２の撮像素子に導くように波長選択特性が設定されてもよい。
【００６７】
このような波長選択特性によれば、λ＝７００ｎｍよりも短い第１の光（いわゆる可視光）と、λ＝７００ｎｍよりも長く、観察光源による眼底観察光よりも波長が短い第２の光（いわゆる赤外光）とを含む眼底蛍光による蛍光画像を撮影できる。その結果として、ＯＣＴとの複合装置であっても、良好な蛍光画像を取得できる。例えば、自発蛍光撮影においては、λ＝７００ｎｍより長い波長成分においてもリポフスチン反応が生じているので、これを取り込むことによって臨床的に有用な自発蛍光画像を取得できる。また、眼底からの自発蛍光の光量は、微弱であり、λ＝７００ｎｍよりも短い第１の光に加えて、λ＝７００ｎｍよりも長い第２の光を取り込むことによって、蛍光画像の光量不足を補うことができる。
【００６８】
より好ましくは、第１の撮影光路と第２の撮影光路に分岐させるための波長分離部材（例えば、ダイクロイックミラー３７）は、λ＝７００ｎｍの光の少なくとも９０％以上を第１の撮像素子（例えば、二次元撮像素子３５）に導くと共に、λ＝７５０ｎｍの光の少なくとも７０％以上を遮断するように波長選択特性が設定されている。これによって、λ＝７００ｎｍよりも長い波長の光を十分に抽出できると共に、観察光源による眼底観察光を良好に遮断できる（図８参照）。
【００６９】
さらに好ましくは、第１の撮影光路と第２の撮影光路に分岐させるための波長分離部材（例えば、ダイクロイックミラー３７）は、λ＝７２０ｎｍの光の少なくとも９０％以上を第１の撮像素子（例えば、二次元撮像素子３５）に導くと共に、λ＝７５０ｎｍの光の少なくとも７０％以上を遮断するように波長選択特性が設定されている。これによって、λ＝７００ｎｍよりも長い波長の光を十分に抽出できると共に、観察光源による眼底観察光を良好に遮断できる（図８参照）。
【００７０】
＜蛍光撮影モード＞
本装置において、例えば、被検眼眼底のカラー正面画像を得るためのカラー撮影モードと、被検眼眼底の蛍光正面画像を得るための蛍光撮影モード、のいずれかを設定するためのモード設定スイッチが設けられてもよい。蛍光撮影モードに設定された場合、制御部７０は、眼底撮影時において、エキサイタフィルタＥＸ及びバリアフィルタＢＡをそれぞれ光路に挿入させると共に、撮影光源１４を発光させる。
【００７１】
撮影光源１４からの可視光は、エキサイタフィルタＥＸによって蛍光励起光に制限され、蛍光励起光によって被検眼が照明される。励起光による眼底からの反射光自体は、バリアフィルタＢＡによって遮断される。ここで、造影剤又は自発蛍光による蛍光が眼底から発せられる。眼底からの蛍光は、対物レンズ２５〜ダイクロイックミラー３７を介してバリアフィルタＢＡを通過する。これによって、蛍光光束による蛍光眼底画像が撮像される。撮像された蛍光画像は、メモリ７２に記憶されると共に、表示部７５に表示される。
【００７２】
自発蛍光撮影の場合、例えば、緑色を主成分とする蛍光励起光によって、眼底組織に含まれるリポフスチンによる蛍光が眼底から発せられる。これによって、蛍光光束による自発蛍光眼底画像が撮像される。
【００７３】
＜実施例＞
本実施例の装置本体部１は、図１（ａ）に示すように、例えば、基台４と、撮影部３と、顔支持ユニット５と、操作部７４と、を主に備える。撮影部３は、後述する光学系を収納してもよい。撮影部３は、被検眼Ｅに対して３次元方向（ＸＹＺ）に移動可能に設けられてもよい。顔支持ユニット５は、被検者の顔を支持するために基台４に固設されてもよい。
【００７４】
撮影部３は、ＸＹＺ駆動部６により、眼Ｅに対して左右方向、上下方向（Ｙ方向）及び前後方向に相対的に移動されてもよい。なお、撮影部３は、さらに、基台４に対する移動台２の移動によって、左右眼に対して左右方向（Ｘ方向）及び前後（作動距離）方向（Ｚ方向）に移動されてもよい。
【００７５】
ジョイスティック７４ａは、眼Ｅに対して撮影部３を移動させるために検者によって操作される操作部材として用いられる。もちろん、ジョイスティック７４ａに限定されず、他の操作部材（例えば、タッチパネル、トラックボール等）であってもよい。
【００７６】
例えば、操作部は、検者からの操作信号を一旦、制御部７０に送信する。この場合、制御部７０は、後述するパーソナル・コンピュータ９０に操作信号を送ってもよい。例えば、パーソナル・コンピュータ９０は、操作信号に応じた制御信号を制御部７０に送る。そして、例えば、制御部は、制御信号を受け取ると、制御信号に基づいて各種制御を行う。
【００７７】
例えば、ジョイスティック７４ａの操作によって、移動台２が被検眼に対して移動される。また、回転ノブ７４ｂを回転操作することにより、ＸＹＺ駆動部６がＹ駆動し撮影部３がＹ方向に移動される。なお、移動台２を設けず、ジョイスティック７４ａが操作されたとき、ＸＹＺ駆動部６によって撮影部３が被検眼に対して移動される構成であってもよい。
【００７８】
なお、撮影部３には、例えば、表示部７５が設けられてもよい（例えば、検者側）。表示部７５は、例えば、眼底観察像、眼底撮影像、及び前眼部観察像等を表示してもよい。
【００７９】
また、本実施例の装置本体部１は、パーソナル・コンピュータ（以下、ＰＣ）９０と接続されている。ＰＣ９０には、例えば、表示部９５、操作部材（キーボード９６、マウス９７等）が接続されてもよい。
【００８０】
図２に示すように、本実施例の光学系は、照明光学系１０、撮影光学系３０、干渉光学系２００（以下、ＯＣＴ光学系ともいう）２００を主に備える。さらに、光学系は、フォーカス指標投影光学系４０、アライメント指標投影光学系５０、前眼部観察光学系６０を備えてもよい。照明光学系１０及び撮影光学系３０は、眼底を可視光によって撮影（例えば、無散瞳状態）することによってカラー眼底画像を得るための眼底カメラ光学系１００として用いられる。撮影光学系３０は、被検眼の眼底画像を撮像する。ＯＣＴ光学系２００は、被検眼眼底の断層画像を光干渉の技術を用いて非侵襲で得る。
【００８１】
＜眼底カメラ光学系＞
以下、眼底カメラ光学系１００の光学配置の一例を示す。
【００８２】
＜照明光学系＞
照明光学系１０は、例えば、観察照明光学系と撮影照明光学系を有する。撮影照明光学系は、撮影光源１４、コンデンサレンズ１５、リングスリット１７、リレーレンズ１８、ミラー１９、黒点板２０、リレーレンズ２１、孔あきミラー２２、対物レンズ２５を主に備える。撮影光源１４は、フラッシュランプ、ＬＥＤ等であってもよい。黒点板２０は、中心部に黒点を有する。撮影光源１４は、例えば、被検眼の眼底を可視域の光によって撮影するために用いられる。
【００８３】
また、観察照明光学系は、観察光源１１、赤外フィルタ１２、コンデンサレンズ１３、ダイクロイックミラー１６、リングスリット１７から対物レンズ２５までの光学系を主に備える。観察光源１１は、ハロゲンランプ、ＬＥＤ等であってもよい。観察光源１１は、例えば、被検眼の眼底を近赤外域の光によって観察するために用いられる。赤外フィルタ１２は、波長７５０ｎｍ以上の近赤外光を透過し、７５０ｎｍよりも短い波長帯域の光をカットするために設けられている。ダイクロックミラー１６は、コンデンサレンズ１３とリングスリット１７との間に配置される。また、ダイクロイックミラー１６は、観察光源１１から
の光を反射し撮影光源１４からの光を透過する特性を持つ。なお、観察光源１１と撮影光源１４は、同じ光軸上に直列的に配置された構成であってもよい。
【００８４】
＜撮影光学系＞
撮影光学系３０は、例えば、対物レンズ２５、撮影絞り３１、フォーカシングレンズ３２、結像レンズ３３、撮像素子３５が主に配置されている。撮影絞り３１は、孔あきミラー２２の開口近傍に位置する。フォーカシングレンズ３２は、光軸方向に移動可能である。撮像素子３５は、可視域に感度を有する撮影に利用可能である。撮影絞り３１は対物レンズ２５に関して被検眼Ｅの瞳孔と略共役な位置に配置されている。フォーカシングレンズ３２は、モータを備える移動機構４９により光軸方向に移動される。
【００８５】
また、結像レンズ３３と撮像素子３５の間には、赤外光及び可視光の一部を反射し、可視光の大部分を透過する特性を有するダイクロイックミラー３７が配置される。ダイクロイックミラー３７の反射方向には、赤外域に感度を有する観察用撮像素子３８が配置されている。なお、ダイクロイックミラー３４の代わりに、跳ね上げミラーが用いられても良い。跳ね上げミラーは、例えば、眼底観察時に光路に挿入され、眼底撮影時に光路から退避される。
【００８６】
また、対物レンズ２５と孔あきミラー２２の間には、光路分岐部材としての挿脱可能なダイクロイックミラー（波長選択性ミラー）２４が斜設されている。ダイクロイックミラー２４は、ＯＣＴ測定光の波長光、及びアライメント指標投影光学系５０及び前眼部照明光源５８の波長光（例えば、中心波長９４０ｎｍ）を反射する。また、ダイクロイックミラー２４は、眼底観察用照明の波長光の光源波長（例えば、中心波長７８０ｎｍ）を含む波長８００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００８７】
また、ダイクロイックミラー２４の撮像素子３５側には、挿脱機構６６の駆動により光路補正ガラス２８が跳ね上げ可能に配置されている。光路挿入時には、光路補正ガラス２８は、ダイクロイックミラー２４によってシフトされた光軸Ｌ１の位置を補正する役割を持つ。
【００８８】
観察光源１１を発した光束は、赤外フィルタ１２により赤外光束とされ、コンデンサレンズ１３、ダイクロイックミラー１６により反射されてリングスリット１７を照明する。そして、リングスリット１７を透過した光は、リレーレンズ１８、ミラー１９、黒点板２０、リレーレンズ２１を経て孔あきミラー２２に達する。孔あきミラー２２で反射された光は、補正ガラス２８、ダイクロイックミラー２４を透過し、対物レンズ２５により被検眼Ｅの瞳孔付近で一旦収束した後、拡散して被検眼眼底部を照明する。
【００８９】
また、眼底からの反射光は、対物レンズ２５、ダイクロイックミラー２４、補正ガラス２８、孔あきミラー２２の開口部、撮影絞り３１、フォーカシングレンズ３２、結像レンズ３３、ダイクロイックミラー３７、を介して撮像素子３８に結像する。なお、撮像素子３８は、眼底と共役位置に配置されている。なお、撮像素子３８の出力は制御部７０に入力され、制御部７０は、撮像素子３８によって撮像される被検眼の眼底観察画像（眼底正面観察画像）８２を表示部７５に表示する（図３参照）。
【００９０】
また、撮影光源１４から発した光束は、コンデンサレンズ１５を介して、ダイクロイックミラー１６を透過する。その後、眼底観察用の照明光と同様の光路を経て、眼底は可視光により照明される。そして、眼底からの反射光は対物レンズ２５、孔あきミラー２２の開口部、撮影絞り３１、フォーカシングレンズ３２、結像レンズ３３を経て、撮像素子３５に結像する。
【００９１】
＜フォーカス指標投影光学系＞
フォーカス指標投影光学系４０は、赤外光源４１、スリット指標板４２、２つの偏角プリズム４３、投影レンズ４７、照明光学系１０の光路に斜設されたスポットミラー４４を主に備える。２つの偏角プリズム４３は、スリット視標板４２に取り付けられる。スポットミラー４４は、照明光学系１０の光路に斜設される。また、スポットミラー４４はレバー４５の先端に固着されている。スポットミラー４４は、通常は光軸に斜設されるが、撮影前の所定のタイミングで、ロータリソレノイド４６の軸の回転により、光路外に退避させられる。
【００９２】
なお、スポットミラー４４は被検眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検眼Ｅの眼底に投影される。眼底へのフォーカスが合っていないとき、指標像Ｓ１・Ｓ２は、ずれ方向及びずれ量に応じて分離された状態で眼底上に投影される。一方、フォーカスが合っているときには、指標像Ｓ１・Ｓ２は、合致した状態で眼底上に投影される（図５参照）。そして、指標像Ｓ１・Ｓ２は、撮像素子３８によって眼底像と共に撮像される。
【００９３】
＜アライメント指標投影光学系＞
アライメント用指標光束を投影するアライメント指標投影光学系５０には、図２における左上の点線内の図に示すように、撮影光軸Ｌ１を中心として同心円上に４５度間隔で赤外光源が複数個配置されている。本実施例における眼科撮影装置は、第１視標投影光学系（０度、及び１８０）と、第２視標投影光学系と、を主に備える。第１視標投影光学系は、赤外光源５１とコリメーティングレンズ５２を持つ。第２視標投影光学系は、第１指標投影光学系とは異なる位置に配置され、６つの赤外光源５３を持つ。赤外光源５１は、撮影光軸Ｌ１を通る垂直平面を挟んで左右対称に配置される。この場合、第１指標投影光学系は被検眼Ｅの角膜に無限遠の指標を左右方向から投影する。第２指標投影光学系は被検眼Ｅの角膜に有限遠の指標を上下方向もしくは斜め方向から投影する構成となっている。なお、図２の本図には、便宜上、第１指標投影光学系（０度、及び１８０度）と、第２指標投影光学系の一部のみ（４５度、１３５度）が図示されている。
【００９４】
＜前眼部観察光学系＞
被検眼の前眼部を撮像する前眼部観察（撮影）光学系６０は、ダイクロイックミラー２４の反射側に、ダイクロイックミラー６１、絞り６３、リレーレンズ６４、二次元撮像素子（受光素子：以下、撮像素子６５と省略する場合あり）６５を主に備える。撮像素子６５は、赤外域の感度を持つ。また、撮像素子６５はアライメント指標検出用の撮像手段を兼ね、赤外光を発する前眼部照明光源５８により照明された前眼部とアライメント指標が撮像される。前眼部照明光源５８により照明された前眼部は、対物レンズ２５、ダイクロイックミラー２４及びダイクロイックミラー６１からリレーレンズ６４の光学系を介して撮像素子６５により受光される。また、アライメント指標投影光学系５０が持つ光源から発せられたアライメント光束は被検眼角膜に投影される。その角膜反射像は対物レンズ２５〜リレーレンズ６４を介して撮像素子６５に受光（投影）される。
【００９５】
二次元撮像素子６５の出力は制御部７０に入力され、図４に示すように表示部７５には、二次元撮像素子６５によって撮像された前眼部像が表示される。なお、前眼部観察光学系６０は、被検眼に対する装置本体のアライメント状態を検出するための検出光学系を兼用する。
【００９６】
なお、孔あきミラー２２の穴周辺には、被検者眼の角膜上に光学アライメント指標（ワーキングドットＷ）を形成するための赤外光源（本実施例では、２つだが、これに限定されない）５５が配置されている。なお、光源５５には、孔あきミラー２２の近傍位置に端面が配置される光ファイバに、赤外光を導く構成でも良い。なお、光源５５による角膜反射光は、被検者眼Ｅと撮影部３（装置本体）との作動距離が適切となったときに、撮像素子３８の撮像面上に結像される。これにより、検者はモニタ８に眼底像が表示された状態で、光源５５により形成されるワーキングドットを用いてアライメントの微調整を行えるようになる。
【００９７】
＜ＯＣＴ光学系＞
図２に戻る。ＯＣＴ光学系２００は、いわゆる眼科用光干渉断層計（ＯＣＴ：Optical coherence tomography）の装置構成を持ち、眼Ｅの断層像を撮像する。ＯＣＴ光学系２００は、測定光源１０２から出射された光をカップラー（光分割器）１０４によって測定光（試料光）と参照光に分割する。そして、ＯＣＴ光学系２００は、測定光を眼Ｅの眼底Ｅｆに導き，また、参照光を参照光学系１１０に導く。測定光は、コリメータレンズ１２３、フォーカスレンズ１２４を介し、走査部１０８に達し、例えば、２つのガルバノミラーの駆動によって反射方向が変えられる。そして、走査部１０８で反射された測定光は、ダイクロイックミラー２４で反射された後、対物レンズ２５を介して、被検眼眼底に集光される。その後、眼底Ｅｆによって反射された測定光と，参照光との合成による干渉光が、検出器（受光素子）１２０に受光される。
【００９８】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。例えば、Spectral-domain OCT（ＳＤ−ＯＣＴ）、Swept-source OCT（ＳＳ−ＯＣＴ）が挙げられる。Spectral-domain OCT（ＳＤ−ＯＣＴ）の場合、例えば、光源１０２として広帯域光源が用いられ、検出器１２０として分光器（スペクトロメータ）が用いられる。Swept-source OCTの場合、例えば、光源１０２として波長可変光源が用いられ、検出器１２０として単一のフォトダイオードが用いられる（平衡検出を行ってもよい）。また、Time-domain OCT（ＴＤ−ＯＣＴ）であってもよい。
【００９９】
走査部１０８は、測定光源から発せられた光を被検眼眼底上で走査させる。例えば、走査部１０８は、眼底上で二次元的（ＸＹ方向（横断方向））に測定光を走査させる。走査部１０８は、瞳孔と略共役な位置に配置される。走査部１０８は、例えば、２つのガルバノミラーであり、その反射角度が駆動部１５１によって任意に調整される。
【０１００】
これにより、光源１０２から出射された光束はその反射（進行）方向が変化され、眼底上で任意の方向に走査される。これにより、眼底Ｅｆ上における撮像位置が変更される。走査部１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【０１０１】
参照光学系１１０は、眼底Ｅｆでの測定光の反射によって取得される反射光と合成される参照光を生成する。参照光学系１１０は、マイケルソンタイプであってもよいし、マッハツェンダタイプであってもよい。
【０１０２】
参照光学系１１０は、参照光路中の光学部材を移動させることにより、測定光と参照光との光路長差を変更してもよい。例えば、参照ミラー１３１が光軸方向に移動される。光路長差を変更するための構成は、測定光学系の測定光路中に配置されてもよい。
【０１０３】
より詳細には、参照光学系１１０は、例えば、コリメータレンズ１２９、参照ミラー１３１、参照ミラー駆動部１５０を主に備える。参照ミラー駆動部１５０は、参照光路中に配置され、参照光の光路長を変化させるべく、光軸方向に移動可能な構成になっている。光を参照ミラー１３１により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【０１０４】
＜制御部＞
続いて、本実施例の制御系について図６を用いて説明する。図６に示すように、本実施例の制御部７０には、前眼部観察用の撮像素子６５と、赤外眼底観察用の撮像素子３８と、表示部７５と、操作部７４、ＵＳＢ２．０規格のＨＵＢ７１と、各光源（図は略す）、各種アクチュエータ（図は略す）等が接続される。ＵＳＢ２．０ＨＵＢ７１には、装置本体部１に内蔵された撮像素子３５と、ＰＣ（パーソナルコンピュータ）９０が接続される。
【０１０５】
ＰＣ９０は、プロセッサとしてのＣＰＵ９１、操作入力部（例えば、マウス、キーボード等）、記憶手段としてのメモリ（不揮発性メモリ）７２、表示部９５、を備える。ＣＰＵ９１は、装置本体部１の制御を司ってもよい。メモリ７２は、電源の供給が遮断されても記憶内容を保持できる非一過性の記憶媒体である。例えば、ハードディスクドライブ、フラッシュＲＯＭ、ＰＣ９０に着脱可能に装着されるＵＳＢメモリ、外部サーバー等がメモリ７２として使用されうる。メモリ７２には、装置本体部（眼科撮影装置）１による正面画像および断層画像の撮影を制御するための撮影制御プログラムが記憶されている。
【０１０６】
また、メモリ７２には、ＰＣ９０が眼科解析装置として使用されるための眼科解析プログラムが記憶されている。つまり、ＰＣ９０は、眼科解析装置を兼用してもよい。また、メモリ７２には、走査ラインにおける断層像（ＯＣＴデータ）、三次元断層像（三次元ＯＣＴデータ）、眼底正面像、断層像の撮影位置の情報等、撮影に関する各種情報が記憶される。操作入力部には、検者による各種操作指示が入力される。
【０１０７】
ＰＣ９０には、本装置本体部１に内蔵されるＯＣＴ撮影用の検出器（例えば、ラインＣＣＤ等）１２０がＵＳＢ３．０ポート７９ａ，７９ｂを経由してＵＳＢ信号線で接続される。このように、本実施例においては、装置本体部１とＰＣ９０は、２本のＵＳＢ信号線７６，７７によって互いに接続される。
【０１０８】
また、制御部７０は、撮像素子６５に撮像された前眼部観察画像８１からアライメント指標を検出処理してもよい。制御部７０は、撮像素子６５の撮影信号に基づいて被検眼に対する装置本体部１のアライメント偏位量を検出してもよい。
【０１０９】
また、制御部７０は、図４の前眼部像観察画面（図５の眼底観察画面に表示させてもよい）に示すように、アライメント基準となるレチクルＬＴを表示部７５の画面上の所定位置に電子的に形成して表示させてもよい。また、制御部７０は、検出されたアライメント偏位量に基づいてレチクルＬＴとの相対距離が変化されるようにアライメント指標Ａ１の表示を制御してもよい。
【０１１０】
制御部７０は、撮像素子６５によって撮像された前眼部観察画像と、撮像素子３８によって撮像された前眼部観察画像及び赤外眼底観察画像を本体の表示部７５に表示する。
【０１１１】
また、制御部７０は、前眼部観察画像及び眼底観察画像を、ＨＵＢ７１、ＵＳＢ２．０ポート７８ａ、７８ｂ経由でＰＣ９０へストリーミング出力をする。ＰＣ９０は、ストリーミング出力された前眼部観察画像、眼底観察画像８２をそれぞれ、ＰＣ９０の表示部９５上に表示する。前眼部観察画像及び眼底観察画像は、表示部９５上にライブ画像（例えば、ライブ正面画像）として同時に表示されてもよい（図３の前眼部観察画像８１、眼底観察画像８２、）。
【０１１２】
一方、撮像素子３５によるカラー眼底画像の撮影は、制御部７０からのトリガ信号に基づいて行われる。カラー眼底画像も、ＨＵＢ７１とＵＳＢ２．０ポート７８ａ，７８ｂ経由で制御部７０及びＰＣ９０へ出力され、表示部７５またはＰＣ９０の表示部９５上に表示される。
【０１１３】
さらに、検出器１２０はＵＳＢ３．０ポート７９ａ，７９ｂを経由してＰＣ９０へ接続される。検出器１２０からの受光信号は、ＰＣ９０へ入力される。ＰＣ９０（より詳しくは、ＰＣ９０のプロセッサ（例えば、ＣＰＵ））は、検出器１２０からの受光信号を演算処理することによって断層画像８３を生成する。
【０１１４】
例えば、フーリエドメインＯＣＴ（例えば、スペクトルドメインＯＣＴ）の場合、ＰＣ９０は、検出器１２０から出力される各波長での干渉信号を含むスペクトル信号を処理する。ＰＣ９０は、スペクトル信号を処理して被検眼の内部情報（例えば、深さ方向に関する被検眼のデータ（深さ情報））を得る。より詳細には、スペクトル信号（スペクトルデータ）は、波長λの関数として書き換えられ、波数ｋ（＝２π／λ）に関して等間隔な関数Ｉ（ｋ）に変換される。ＰＣ９０は、波数ｋ空間でのスペクトル信号をフーリエ変換することにより深さ（Ｚ）領域における信号分布を得る。
【０１１５】
さらに、ＰＣ９０は、測定光の走査等によって異なる位置で得られた内部情報を並べて被検眼の情報（例えば、断層画像）を得てもよい。ＰＣ９０は、得られた結果をメモリ７２に記憶する。ＰＣ９０は、得られた結果を表示部９５に表示してもよい。
【０１１６】
装置本体部１は、ＰＣ９０からのレリーズ信号により、あらかじめ設定されたスキャンパターンにて撮影を行う。ＰＣ９０は、各々の撮影信号を処理し、ＰＣ９０の表示部９５上へ画像結果を出力する。
【０１１７】
この時、検出器１２０は、検出された検出信号をＰＣ９０へ出力する。ＰＣ９０は、検出器１２０からの出力から断層画像を生成する。
【０１１８】
ＰＣ９０は、ＵＳＢ２．０ポート７８ｂ，７８ａ、ＨＵＢ７１を経由して、生成した断層画像を装置本体部１へ転送する。制御部７０は、転送された断層画像８３を表示部７５に表示する（例えば、断層画像８３参照）。なお、検出器１２０からの出力信号に基づいてＰＣ９０によってＯＣＴ正面画像が生成され、表示部７５或いは表示部９５上にＯＣＴ正面画像が表示されてもよい。
【０１１９】
本実施例において、検者は、装置本体部１に配設された表示部７５を見ながら、ＯＣＴの撮影設定、アライメント、オプティマイズ等の各設定または位置合わせを行うことができる（詳細は後述する）。従って、検者は、図１（ｂ）に示すように、異なる位置に配置された装置本体部１の表示部７５とＰＣ９０側の表示部９５を、交互に確認する手間を省くことができる。また、被検者の瞼を開いて撮影を行う場合、検者は、ＰＣ９０の表示部９５を確認しながら行うより、表示部７５を確認しながら行う方が開瞼作業を行い易い場合がある。
【０１２０】
さらに、断層画像８３、眼底画像８２、前眼部観察画像８１等が表示部７５とＰＣ９０の表示部９５の両方に表示されていることによって、検者は、装置本体部１を用いて操作するか、ＰＣ９０を用いて操作するかを好みに合わせて選択することができる。また、表示部７５とＰＣ９０の表示部９５の両方に各種撮影画像が表示されるため、画像を観察できる画面が増え、複数人で画像を確認することが容易になる。
【０１２１】
また、ＰＣ９０の表示部９５によって画像を観察する検者と、装置本体部１で撮影を行う検者とに分かれて測定を行う場合、撮影を行う検者は、表示部７５にて撮影した断層画像８３を確認し、上手く撮影できなかったときは、撮影をやり直すことができる。このため、表示部９５を観察する検者が、撮影を行う検者に測定のやり直しを告げることが少なくなる。
【０１２２】
以上のように、装置本体部１の表示部７５と、ＰＣ９０の表示部９５の両方に断層画像８３を表示させることによって、装置本体部１は、検者の好みに合わせた撮影方法に適応できる。
【０１２３】
前述のカラー眼底撮影も同様である。カラー眼底撮影された結果は、ＰＣ９０に入力されるだけでなく、プレビュー結果等の画像情報を、ＵＳＢ２．０ポート７８ｂ，７８ａ、ＨＵＢ７１を経由して装置本体に転送し、装置本体部１の表示部７５上にカラー眼底画像を表示できてもよい。これによって、検者は、カラー眼底画像を見るために装置本体部１とＰＣ９０を交互に確認する手間を省くことができる。また、カラー眼底撮影画像を見ながら装置本体部１を操作する場合、コンピュータ側の表示部９５を覗く必要がなく、表示部７５を確認すればよいので、検者の負担が低減される。
【０１２４】
＜制御動作＞
以上のような構成を備える装置において、その制御動作の一例について説明する。制御部７０は、例えば、撮像素子６５からの撮像画像、撮像素子３８からの撮像画像、及びＰＣ９０からのＯＣＴ画像を合成し、観察画面として表示部７５の画面上に表示してもよい。観察画面には、図３に示すように、ライブの前眼部観察画像８１、ライブの眼底観察画像８２、ライブの断層画像（以下、ライブ断層画像ともいう）が同時に表示されてもよい。
【０１２５】
断層画像８３はＰＣ９０からＵＳＢ２．０ポート７８ｂ，７８ａを経由して制御部７０に出力され、表示部７５に表示される。本実施形態においては、表示部７５の中央部に眼底画像８２、右上部に前眼部観察画像８１、右下部に断層画像８３がそれぞれ表示されるがこれに限定されない。検者は、これらの画像を表示部７５で確認しながら装置本体部１の操作を行う。
【０１２６】
検者は、顔支持ユニット５に被検者の顔を支持させる。そして、検者は、図示無き固視標を注視するように被検者に指示する。初期段階では、ダイクロイックミラー２４は撮影光学系３０の光路に挿入されており、撮像素子６５に撮像された前眼部像が表示部７５に表示される。
【０１２７】
検者は、上下左右方向のアライメント調整として、例えば、ジョイスティック７４ａを操作し、前眼部像が表示部７５に現れるように撮影部３を左右上下に移動させる。前眼部像が表示部７５に現れるようになると、図４に示すように、８つの指標像（第１のアライメント指標像）Ｍａ〜Ｍｈが現れるようになる。この場合、撮像素子６５による撮像範囲としては、アライメント完了時点において、前眼部の瞳孔、虹彩、睫が含まれる程度の範囲が好ましい。
【０１２８】
＜アライメント検出及びＸＹＺ方向に関する自動アライメント＞
アライメント指標像Ｍａ〜Ｍｈが二次元撮像素子６５に検出されると、制御部７０は、自動アライメント制御を開始する。制御部７０は、二次元撮像素子６５から出力される撮像信号に基づいて被検眼に対する撮影部３のアライメント偏位量Δｄを検出する。より具体的には、リング状に投影された指標像Ｍａ〜Ｍｈによって形成されるリング形状の中心のＸＹ座標を略角膜中心として検出し、予め撮像素子６５上に設定されたＸＹ方向のアライメント基準位置Ｏ１（例えば、撮像素子６５の撮像面と撮影光軸Ｌ１との交点）と角膜中心座標との偏位量Δｄを求める（図７参照）。なお、画像処理により瞳孔中心を検出し、その座標位置と基準位置Ｏ１との偏位量によりアライメントずれが検出されるようにしてもよい。
【０１２９】
そして、制御部７０は、この偏位量Δｄがアライメント完了の許容範囲Ａに入るように、ＸＹＺ駆動部６の駆動制御による自動アライメントを作動する。偏位量Δｄがアライメント完了の許容範囲Ａに入り、その時間が一定時間（例えば、画像処理の１０フレーム分又は０．３秒間等）継続しているか（アライメント条件Ａを満足しているか）により、ＸＹ方向のアライメントの適否を判定する。
【０１３０】
また、制御部７０は、前述のように検出される無限遠の指標像Ｍａ，Ｍｅの間隔と有限遠の指標像Ｍｈ，Ｍｆの間隔とを比較することによりＺ方向のアライメント偏位量を求める。この場合、制御部７０は、撮影部３が作動距離方向にずれた場合に、前述の無限遠指標Ｍａ，Ｍｅの間隔がほとんど変化しないのに対して、指標像Ｍｈ，Ｍｆの像間隔が変化するという特性を利用して、被検眼に対する作動距離方向のアライメント偏位量を求める（詳しくは、特開平６−４６９９９号参照）。
【０１３１】
また、制御部７０は、Ｚ方向についても、Ｚ方向のアライメント基準位置に対する偏位量を求め、その偏位量が、アライメントが完了したとされるアライメント許容範囲に入るように、ＸＹＺ駆動部６の駆動制御による自動アライメントを作動する。Ｚ方向の偏位量がアライメント完了の許容範囲に一定時間入っているか（アライメント条件を満足しているか）により、Ｚ方向のアライメントの適否を判定する。
【０１３２】
前述したアライメント動作によって、ＸＹＺ方向のアライメント状態がアライメント完了の条件を満たしたら、制御部７０はＸＹＺ方向のアライメントが合致したと判定し、次のステップに移行する。
【０１３３】
ここで、ＸＹＺ方向におけるアライメント偏位量Δｄが許容範囲Ａ１に入ったら、駆動部６の駆動を停止させると共に、アライメント完了信号を出力する。なお、アライメント完了後においても、制御部７０は、偏位量Δｄを随時検出しており、偏位量Δｄが許容範囲Ａ１を超えた場合、自動アライメントを再開する。すなわち、制御部７０は、偏位量Δｄが許容範囲Ａ１を満たすように被検者眼に対して撮影部３を追尾させる制御（トラッキング）を行う。
【０１３４】
＜瞳孔径の判定＞
アライメント完了後、制御部７０は、被検眼の瞳孔状態の適否の判定を開始する。この場合、瞳孔径の適否は、撮像素子６５による前眼部像から検出される瞳孔エッジが、所定の瞳孔判定エリアから外れているか否かで判定される。瞳孔判定エリアの大きさは、画像中心（撮影光軸中心）を基準に、眼底照明光束が通過可能な径（例えば、直径４ｍｍ）として設定されているものである。簡易的には、画像中心を基準に左右方向及び上下方向で検出される４点の瞳孔エッジを使用する。瞳孔エッジの点が瞳孔判定エリアよりも外にあれば、撮影時の照明光量が十分に確保される（詳しくは、本出願人による特開２００５−１６０５４９号公報を参考にされたい）。なお、瞳孔径の適否判定は、撮影が実行されるまで継続され、その判定結果が表示部７５上に表示される。
【０１３５】
＜フォーカス状態の検出／オートフォーカス＞
また、撮像素子６５を用いたアライメントが完了されると、制御部７０は、被検眼の眼底に対するオートフォーカスを行う。図５は、撮像素子３８で撮像される眼底像の例であり、眼底像の中心にフォーカス視標投影光学系４０によるフォーカス指標像Ｓ１、Ｓ２が投影されている。ここで、フォーカス指標像Ｓ１，Ｓ２は、フォーカスが合っていないときには分離され、フォーカスが合っているときに一致して投影される。制御部７０は、指標像Ｓ１，Ｓ２を画像処理により検出し、その分離情報を得る。そして、制御部７０は、指標像Ｓ１，Ｓ２の分離情報を基に移動機構４９の駆動を制御し、眼底に対するピントが合うようにレンズ３２を移動させる。
【０１３６】
＜最適化制御＞
アライメント完了信号が出力されると、制御部７０は、最適化制御を開始するためのトリガ信号を発し、最適化の制御動作を開始する。制御部７０は、最適化を行うことによって、検者が所望する眼底部位が高感度・高解像度で観察できるようにする。なお、本実施例において、最適化の制御は、光路長調整、フォーカス調整、偏光状態の調整（ポラライザ調整）、の制御である。なお、最適化の制御において、眼底に対する一定の許容条件を満たすことができればよく、最も適切な状態に調整する必要は必ずしもない。
【０１３７】
最適化制御において、制御部７０は、初期化の制御として、参照ミラー１３１とフォーカシングレンズ１２４の位置を初期位置に設定する。初期化完了後、制御部７０は、設定した初期位置から参照ミラー１３１を一方向に所定ステップで移動させ、第１光路長調整を行う（第１自動光路長調整）。また、第１光路長調整と並行するように、制御部７０は、前述の被検眼眼底に対する眼底カメラ光学系のフォーカス結果に基づいて、被検眼眼底に対する合焦位置情報（例えば、レンズ３２の移動量）を取得する。合焦位置情報が取得されると、制御部７０は、フォーカスシングレンズ１２４を合焦位置に移動させ、オートフォーカス調整（フォーカス調整）を行う。なお、合焦位置とは、観察画像として許容できる断層画像のコントラストを取得できる位置であればよく、必ずしも、フォーカス状態の最適位置である必要はない。
【０１３８】
そして、フォーカス調整完了後、制御部７０は、再度、参照ミラー１３１を光軸方向に移動させ、光路長の再調整（光路長の微調整）をする第２光路長調整を行う。第２光路長調整完了後、制御部７０は、参照光の偏光状態を調節するためのポラライザ１３３を駆動させ、測定光の偏光状態を調整する（詳しくは、特願２０１２−５６２９２号参照）。
【０１３９】
以上のようにして、最適化の制御が完了されることにより、検者が所望する眼底部位が高感度・高解像度で観察できるようになる。そして、制御部７０は、走査部１０８の駆動を制御し、眼底上で測定光を走査する。
【０１４０】
検出器１２０によって検出された検出信号（スペクトルデータ）は、ＵＳＢ３．０ポート７９ａ，７９ｂ（図６参照）を経由してＰＣ９０に送信される。ＰＣ９０は、検出信号を受信し、検出信号を演算処理することによって断層画像８３を生成する。
【０１４１】
ＰＣ９０は断層画像８３を生成すると、断層画像８３をＵＳＢ２．０ポート７８ｂ，７８ａ及びＨＵＢ７１を経由して、装置本体部１の制御部７０に送信する。制御部７０は、ＵＳＢ２．０ポート７８ｂ，７８ａ及びＨＵＢ７１を経由して、ＰＣ９０から断層画像８３を受信し、表示部７５に表示する。図３に示すように、制御部７０は、前眼部観察画像８１と眼底観察画像８２と断層画像８３を表示部７５に表示する。
【０１４２】
検者は、リアルタイムで更新される断層画像８３を確認し、Ｚ方向のアライメントを調整する。例えば、表示枠内に断層画像８３が収まるように、アライメントを調整してもよい。
【０１４３】
もちろん、ＰＣ９０は、生成した断層画像８３を表示部９０に表示してもよい。ＰＣ９０は、生成した断層画像８３をリアルタイムで表示部９５に表示させてもよい。さらに、ＰＣ９０は、断層画像８３の他、前眼部観察画像８１、眼底観察画像８２をリアルタイムで表示部９５に表示させてもよい。
【０１４４】
なお、画像のフォーカス調整などを手動にて行う場合、検者は、調節ノブ７４ｄ等の操作によって調整を行うものと説明したが、これに限らない。例えば、検者は、タッチパネル機能を備えた表示部（例えば、表示部７５）に対してタッチ操作をすることで、画像の調整を行ってもよい。
【０１４５】
アライメント及び画質調整が完了されると、制御部７０は、走査部１０８の駆動を制御し、眼底上で測定光を所定方向に関して走査させ、走査中に検出器１２０から出力される出力信号から所定の走査領域に対応する受光信号を取得して断層画像を形成する。
【０１４６】
図３は、表示部７５に表示される表示画面の一例を示す図である。制御部７０は、表示部７５上に、前眼部観察光学系６０によって取得された前眼部観察画像８１、眼底観察画像８２、断層画像８３、ライン８５を表示する。ライン８５は、眼底観察画像８２上における断層画像の測定位置（取得位置）を表す指標である。ライン８５は、表示部７５上の眼底観察画像８２上に電気的に表示される。
【０１４７】
本実施例では、検者が表示部７５に、タッチ操作又はドラック操作を行うことによって、撮影条件の設定が可能な構成となっている。検者は、タッチ操作によって表示部７５上の任意の位置を指定できる。
【０１４８】
＜スキャンラインの設定＞
図３は、走査位置の設定について説明する図である。断層画像及び眼底観察画像８２が表示部７５に表示されたら、検者は、リアルタイムで観察される表示部７５上の眼底観察画像８２から検者の撮影したい断層画像の位置を設定する。ここで、検者は、タッチパネル式の表示部７５を用いて、ドラッグ操作を行うことによって、眼底観察画像８２に対してライン８５を移動させていき、走査位置を設定する。なお、ラインがＸ方向となるように設定すれば、ＸＺ面の断層画像の撮影が行われ、ライン８５がＹ方向となるように設定すれば、ＹＺ面の断層画像の撮影が行われるようになっている。また、ライン８５を任意の形状（例えば、斜め方向や丸等）に設定できるようにしてもよい。
【０１４９】
なお、本実施例において、装置本体部１に設けられたタッチパネル式の表示部７５の操作を主に説明したが、これに限らない。装置本体部１の操作部７４に設けられたジョイスティック７４ａまたは各種操作ボタンを操作することによっても、表示部７５と同様に操作できてもよい。この場合も、例えば、操作部７４からの操作信号は、制御部７０を介してＰＣに送信され、ＰＣは、操作信号に応じた制御信号を制御部７０に送信するようにしてもよい。
【０１５０】
検者によってライン８５が眼底観察画像８２に対して移動されると、制御部７０は、随時走査位置の設定を行い、これに対応する走査位置の断層画像を取得する。そして、取得された断層画像を随時表示部７５の表示画面上に表示する。また、制御部７０は、表示部７５から出力される操作信号に基づいて測定光の走査位置を変更すると共に、変更された走査位置に対応する表示位置にライン８５を表示する。なお、ライン８５の表示位置（表示部上における座標位置）と走査部１０８による測定光の走査位置との関係は、予め定まっているので、制御部７０は、設定したライン８５の表示位置に対応する走査範囲に対して測定光が走査されるように、走査部１０８の２つのガルバノミラーを適宜駆動制御する。
【０１５１】
＜断層画像の取得＞
撮影条件の調整が完了した後、検者により、所望の位置にて、撮影開始スイッチ７４ｃが操作されると、制御部７０は、設定された走査位置に基づいてＢスキャンによる断層画像の取得を行う。制御部７０は、眼底観察画像８２上に設定されたライン８５の表示位置に基づいて、ライン８５の位置に対応する眼底の断層画像が得られるように、走査部１０８を駆動させて測定光を走査させる。
【０１５２】
ＰＣ９０は、検出器１２０からの検出信号に基づいて断層画像の静止画を生成し、生成された静止画を装置本体部１に転送する。制御部７０は、ＰＣ９０から転送された断層画像の静止画を表示部７５上に表示する。
【０１５３】
例えば、制御部７０は、表示部７５に、図示無きＯＫボタンとＮＧボタンを表示させてもよい。検者は、表示部７５に表示された断層画像８３をメモリ７２に保存する場合はＯＫボタンを押し、保存しない場合は、ＮＧボタンを押す。制御部７０は、ＯＫボタンが押されると、断層画像８３をメモリ７２に記憶させる。一方、制御部７０は、ＮＧボタンが押されると、断層画像８３の撮影をやり直すようにしてもよい。
【０１５４】
このように、表示部７５に断層画像８３を表示させることで、検者は、撮影が適切に行われたかどうかを、ＰＣ９０を扱うことなく判断できる。
【０１５５】
断層画像が得られると、制御部７０は、眼底カメラ光学系１００によってカラー眼底画像８２を取得するステップに移行する。検者は、表示部７５に表示される眼底観察画像８２を観察しながら、所望する状態で撮影できるように、アライメントとフォーカスの微調整を行う。そして、検者による撮影開始スイッチ７４ｃの入力があると、撮影が実行される。制御部７０は、撮影開始スイッチ７４ｃによるトリガ信号に基づいて、挿脱機構６６を駆動することによって、ダイクロイックミラー２４を光路から離脱させると共に、撮影光源１４を発光させる。
【０１５６】
撮影光源１４が発光されることによって、被検眼眼底は可視光によって照射される。眼底からの反射光は対物レンズ２５、孔あきミラー２２の開口部、撮影絞り３１、フォーカシングレンズ３２、結像レンズ３３、ダイクロイックミラー３７を通過し、２次元受光素子３５に結像する。２次元受光素子３５で撮影されたカラー眼底画像は、ＨＵＢ７１、及びＵＳＢ２．０ポート７８ａ，７８ｂを経由して、ＰＣ９０に受信され、その後、メモリ７２に記憶される。
【０１５７】
ＰＣ９０は、上記のように得られた断層画像、眼底画像の少なくともいずれかに対して解析処理を行い、解析結果を表示部９５に表示する。ＰＣ９０は、解析結果を表示部７５に表示するようにしてもよい。
【符号の説明】
【０１５８】
１  装置本体部
１０  眼底照明光学系
２２  ホールミラー
２４  ダイクロイックミラー
２５  対物レンズ
３０  眼底撮影光学系
５８  前眼部照明光源
６０  前眼部観察光学系
６１  ダイクロイックミラー
７０  制御部
７５  表示部
９０  コンピュータ
９５  表示部
１０２  測定光源
２００  干渉光学系（ＯＣＴ光学系）
ＥＸ  エキサイタフィルタ
ＢＡ  バリアフィルタ
【図１】
2015195875.tif 000003
【図２】
2015195875.tif 000004
【図３】
2015195875.tif 000005
【図４】
2015195875.tif 000006
【図５】
2015195875.tif 000007
【図６】
2015195875.tif 000008
【図７】
2015195875.tif 000009
【図８】
2015195875.tif 000010